(57)【要約】【課題】  低速のデータ信号と高速のデータ信号を効率良く伝送する。【解決手段】  多重装置４８は、バッファ３４からの低速下りデータ信号の後のＩＦＧに続いて、高速伝送識別情報発生装置４０から出力される高速伝送識別情報ＩＤＨｉｇｈを挿入する。高速伝送識別情報ＩＤＨｉｇｈは、これ以後に続く高速下りデータ信号の長さ又は期間を示す。ＯＮＵ１４−１は、高速伝送識別情報ＩＤＨｉｇｈを受信すると、高速伝送識別情報ＩＤＨｉｇｈが示す期間、発振器６４を外部同期から内部同期に切り替える。多重装置４８は、高速伝送識別情報ＩＤＨｉｇｈに続けて、バッファ３６からの高速下りデータ信号を多重し、高速下りデータ信号のフレーム間には、高速アイドル信号発生装置３９からの高速アイドル信号をＩＦＧ（インターフレームギャップ）として挿入する。【選択図】  図１
2008160370.tif 000002
【特許請求の範囲】
【請求項１】
第１のデータレートの第１のデータ信号及び当該第１のデータレートより高速の第２のデータレートの第２のデータ信号を時分割多重して伝送し、当該第１のデータ信号を受信でき当該第２のデータ信号を受信できない１以上の第１の通信端末（１４−１）と、当該第２のデータ信号を受信できる１以上の第２の通信端末（１４−２）とを有するデータ伝送システムであって、
当該第２のデータ信号に先行して、当該第２のデータ信号の長さを示す識別情報を伝送する
ことを特徴とするデータ伝送システム。
【請求項２】
当該第１の通信端末（１４−１）は、当該識別情報の受信に応じて、当該識別情報が示す期間、データ再生のための発振器（６４）を外部同期状態から自走状態に切り替えることを特徴とする請求項１に記載のデータ伝送システム。
【請求項３】
当該識別情報と当該第２のデータ信号との間に、当該第２のデータレートに対応する同期信号を伝送することを特徴とする請求項１又は２に記載のデータ伝送システム。
【請求項４】
第１のデータレートの第１のデータ信号を受信でき、当該第１のデータレートより高速の第２のデータレートの第２のデータ信号を受信できない１以上の第１の通信端末（１４−１）と、当該第２のデータ信号を受信できる１以上の第２の通信端末（１４−２）とを有するデータ伝送システムにおいて、当該第１のデータ信号と当該第２のデータ信号を時分割多重して伝送する方法であって、
当該第２のデータ信号に先行して、当該第２のデータ信号の長さを示す識別情報を伝送することを特徴とするデータ伝送方法。
【請求項５】
当該第１の通信端末（１４−１）が、当該識別情報の受信に応じて、当該識別情報が示す期間、データ再生のための発振器（６４）を外部同期状態から自走状態に切り替えることを特徴とする請求項４に記載のデータ伝送方法。
【請求項６】
当該識別情報と当該第２のデータ信号との間に、当該第２のデータレートに対応する同期信号を伝送することを特徴とする請求項４又は５に記載のデータ伝送方法。
【請求項７】
第１のデータレートの第１のデータ信号を一時記憶する第１のバッファ（３４）と、
当該第１のデータレートより高速の第２のデータレートの第２のデータ信号を一時記憶する第２のバッファ（３６）と、
当該第２のデータ信号の長さを示す識別情報を発生する識別情報発生装置（４０）と、
当該第１のバッファからの当該第１のデータ信号、当該第２のバッファからの当該第２のデータ信号、及び当該識別情報発生装置からの当該識別情報を多重する多重装置であって、当該第１のデータ信号と当該第２のデータ信号の間に、当該識別情報を配置する多重装置
とを具備することを特徴とするデータ送信装置。
【請求項８】
当該多重装置は更に、当該第１のデータ信号間に当該第２のデータ信号を挿入した場合の余り部分に当該第２のデータレートの充填信号を多重することを特徴とする請求項７に記載のデータ送信装置。
【請求項９】
当該多重装置は更に、インターフレームギャップを多重することを特徴とする請求項７又は８に記載のデータ送信装置。
【請求項１０】
当該多重装置は、当該識別情報と当該第２のデータ信号との間に、当該第２のデータレートに対応する同期信号を多重することを特徴とする請求項７乃至９の何れか１項に記載のデータ送信装置。
【請求項１１】
第１のデータレートの第１のデータ信号及び当該第１のデータレートより高速の第２のデータレートの第２のデータ信号を時分割多重して伝送し、当該第１のデータ信号を受信でき当該第２のデータ信号を受信できない１以上の第１の通信端末（１４−１）と、当該第２のデータ信号を受信できる１以上の第２の通信端末（１４−２）とを有するデータ伝送システムにおいて、当該第１の通信端末に含まれるデータ受信装置であって、
入力信号からクロックを当該第１のデータレートに対応するクロック成分を再生するクロック再生装置（６２）と、
当該第１のデータレートに対応する周波数で発振し、当該クロック再生装置の再生クロックに同期動作する発振器（６４）と、
当該発振器（６４）の出力に従い、当該入力信号からデータを再生するデータ再生装置（６６）と、
当該データ再生装置の再生データから、当該第２のデータ信号の伝送期間を示す識別情報を検出すると、当該識別情報の示す当該伝送期間の間、当該発振器を当該クロック再生装置の再生クロックに同期する状態から、自走状態に切り替える制御装置（７０）
とを具備することを特徴とするデータ受信装置。
【発明の詳細な説明】
【技術分野】
【０００１】
本発明は、伝送レートの異なるデータ信号を時分割多重方式で伝送するデータ伝送システム及び方法、データ送信装置並びにデータ受信装置に関し、より具体的には、ＧＥ−ＰＯＮと１０ＧＥ−ＰＯＮのように、伝送レートの異なる下りデータ信号を時分割多重伝送するデータ伝送システム及び方法、データ送信装置並びにデータ受信装置に関する。
【背景技術】
【０００２】
アクセス回線として、複数のユーザで光ファイバ伝送路を共有するＰＯＮ（Passive Optical Network）システムが知られている。データ伝送レートは、当初、１０Ｍｂｐｓ程度であったものが、１００Ｍｂｐｓ、１Ｇｂｐｓと順次、高速化しており、最近では、１０Ｇｂｐｓのシステムも検討されている。
【０００３】
ＧＥ−ＰＯＮシステムでは、内部的に８Ｂ／１０Ｂ変換が行われており、光信号のビットレートは１．２５Ｇｂｐｓであるが、データ自体のレートと光伝送路上の光信号のレートの相違は、本発明にとって本質的では無いので、以後、伝送データ自体のレートで表記する。
【０００４】
既存ユーザへの影響を最小限に抑えつつ柔軟な帯域拡大を実現するため、１Ｇｂｐｓシステムを部分的に１０Ｇｂｐｓに増速する方法が検討されている。具体的には、ユーザ側の光終端装置であるＯＮＵ（Optical Network Unit）として１Ｇｂｐｓ対応のものと、１０Ｇｂｐｓ対応のものを混在可能にする。センター局に配置される光終端装置であるＯＬＴ（Optical Line Terminal）は、個々のＯＮＵが１Ｇｂｓｐ対応か１０Ｇｂｐｓ対応かを予め調べて記憶しておき、１Ｇｂｐｓ対応のＯＮＵには１Ｇｂｐｓで下りデータ信号を送信し、１０Ｇｂｐｓ対応のＯＮＵには１０Ｇｂｐｓで下りデータ信号を送信する。ＯＬＴはまた、宛先に１Ｇｂｐｓ対応のＯＮＵを含む下りデータ信号のマルチキャスト又はブロードキャストは、１Ｇｂｐｓで送信し、宛先全てが１０Ｇｂｐｓ対応のＯＮＵである場合に下りデータ信号を１０Ｇｂｐｓで送信する。
【０００５】
Ｅ−ＰＯＮでは、ＯＮＵの個々のサービス（例えば、ＶｏＩＰ（Voice over IP），ＶＯＤ（Video On Demand）及びインターネット）を論理リンクで管理しており、ＯＬＴは、各ＯＮＵに１又は複数の論理リンクを設定できる。ＯＬＴは、論理リンク設定プロトコル中で、各ＯＮＵが１Ｇｂｐｓ対応か１０Ｇｂｐｓ対応かを確認する。
【０００６】
従来、提案されている、Ｅ−ＰＯＮシステムにおいて速度の異なる下り信号を多重する方式は、１０ＧｂｐｓベースのＭＡＣフレームを伝送する度に、１ＧｂｐｓベースのプリアンブルとＩＦＧおよび１０Ｇｂｐｓへの同期用信号を時間軸上で多重する（例えば、非特許文献１）。
【非特許文献１】石川真弓他、「異速度フレーム混在ＰＯＮシステムの一検討」、２００６年電子情報通信学会通信ソサイエティ大会、ｐ．１８０
【発明の開示】
【発明が解決しようとする課題】
【０００７】
しかしながら、従来の方法では、１０ＧｂｐｓベースのＭＡＣフレームを伝送する度に、１ＧｂｐｓベースのプリアンブルとＩＦＧと１０Ｇｂｐｓへの同期用信号が必要となるため、１０Ｇｂｐｓでの伝送時間が相対的に小さく、オーバーヘッドも大きくなることから、下り信号の実効レートが低下する。
【０００８】
本発明は、このような問題点を解決し、異種レートのデータ信号をより高密度に配置可能なデータ伝送システム及び方法、データ送信装置並びにデータ受信装置を提示することを目的とする。
【課題を解決するための手段】
【０００９】
本発明に係るデータ伝送システムは、第１のデータレートの第１のデータ信号及び当該第１のデータレートより高速の第２のデータレートの第２のデータ信号を時分割多重して伝送し、当該第１のデータ信号を受信でき当該第２のデータ信号を受信できない１以上の第１の通信端末と、当該第２のデータ信号を受信できる１以上の第２の通信端末とを有するデータ伝送システムであって、当該第２のデータ信号に先行して、当該第２のデータ信号の長さを示す識別情報を伝送することを特徴とする。
【００１０】
本発明に係るデータ伝送方法は、第１のデータレートの第１のデータ信号を受信でき、当該第１のデータレートより高速の第２のデータレートの第２のデータ信号を受信できない１以上の第１の通信端末と、当該第２のデータ信号を受信できる１以上の第２の通信端末とを有するデータ伝送システムにおいて、当該第１のデータ信号と当該第２のデータ信号を時分割多重して伝送する方法であって、当該第２のデータ信号に先行して、当該第２のデータ信号の長さを示す識別情報を伝送することを特徴とする。
【００１１】
本発明に係るデータ送信装置は、第１のデータレートの第１のデータ信号を一時記憶する第１のバッファと、当該第１のデータレートより高速の第２のデータレートの第２のデータ信号を一時記憶する第２のバッファと、当該第２のデータ信号の長さを示す識別情報を発生する識別情報発生装置と、当該第１のバッファからの当該第１のデータ信号、当該第２のバッファからの当該第２のデータ信号、及び当該識別情報発生装置からの当該識別情報を多重する多重装置であって、当該第１のデータ信号と当該第２のデータ信号の間に、当該識別情報を配置する多重装置とを具備することを特徴とする。
【００１２】
本発明に係るデータ受信装置は、第１のデータレートの第１のデータ信号及び当該第１のデータレートより高速の第２のデータレートの第２のデータ信号を時分割多重して伝送し、当該第１のデータ信号を受信でき当該第２のデータ信号を受信できない１以上の第１の通信端末と、当該第２のデータ信号を受信できる１以上の第２の通信端末とを有するデータ伝送システムにおいて、当該第１の通信端末に含まれるデータ受信装置であって、入力信号からクロックを当該第１のデータレートに対応するクロック成分を再生するクロック再生装置と、当該第１のデータレートに対応する周波数で発振し、当該クロック再生装置の再生クロックに同期動作する発振器と、当該発振器の出力に従い、当該入力信号からデータを再生するデータ再生装置と、当該データ再生装置の再生データから、当該第２のデータ信号の伝送期間を示す識別情報を検出すると、当該識別情報の示す当該伝送期間の間、当該発振器を当該クロック再生装置の再生クロックに同期する状態から、自走状態に切り替える制御装置とを具備することを特徴とする。
【発明の効果】
【００１３】
本発明では、第２のデータ信号の前にその識別信号を先行して伝送するので、第１の通信端末は、第２のデータ信号の受信又は誤同期を避けることができる。これにより、第１の通信端末は、第１のデータ信号が入力するときに迅速に且つ、正しく受信できる。即ち、第１のデータ信号と第２のデータ信号を時間軸上で高密度に配置できるようになり、実効レートが上がる。
【発明を実施するための最良の形態】
【００１４】
以下、図面を参照して、本発明の実施例を詳細に説明する。
【実施例１】
【００１５】
図１は、本発明の一実施例の概略構成ブロック図であり、具体的には、１ＧｂｐｓベースのＧＥ−ＰＯＮシステムと１０Ｇｂｐｓベースの１０ＧＥ−ＰＯＮシステムが混在するＰＯＮシステムの下り伝送系部分を図示してある。
【００１６】
ＯＬＴ１０は、光ファイバ及び光カップラ等の受動素子からなる光伝送路１２を介して、ＯＮＵ１４−１，１４−２に接続する。ＯＬＴ１０はセンター局に配置され、ＯＮＵ１４−１，１４−２はユーザ宅に配置される。ＯＮＵ１４−１はＧＥ−ＰＯＮに対応し、ＯＮＵ１２−４は、１０ＧＥ−ＰＯＮに対応する。他にも、ＧＥ−ＰＯＮ対応の１又は２以上のＯＮＵ又は１０ＧＥ−ＰＯＮ対応の１又は２以上のＯＮＵが光伝送路１２に接続可能であるが、図１では省略してある。
【００１７】
ＯＬＴ１０のＣＰＵ２０は、ＯＬＴ１０の全体を制御する。上り信号の伝送系を省略してあるが、ＯＬＴ１０は、ＯＮＵ１４−１，１４−２の起動時に、ＯＮＵ１４−１，１４−２とのメッセージ交換によりＯＮＵ１４−１，１４−２に１以上の論理リンクを設定する。設定された論理リンクの識別子（ＬＬＩＤ）と、ＯＮＵ１４−１，１４−２との対応が、ＬＬＩＤテーブル２２に格納される。このとき、ＣＰＵ２０は、各ＯＮＵ１４−１，１４−２がＧＥ−ＰＯＮ対応か１０ＧＥ−ＰＯＮ対応かを調べ、その情報もテーブル２２に格納する。以後、ＣＰＵ２０は、ＬＬＩＤテーブル２２を参照することにより、１０Ｇｂｐｓベースの高速伝送か、１Ｇｂｐｓベースの低速伝送かを識別できる。
【００１８】
アップリンクポート２４には、図示しない上位ネットワークから下り信号が伝送フレーム単位、通常はＭＡＣフレーム単位で入力する。下り信号はバッファ２６に一時格納されて、逐次、分配装置２８に読み出だされる。ＣＰＵ２０は、分配装置２８から各フレームの宛先情報を受け取り、各受信フレームの宛先に応じたＬＬＩＤを分配装置２８に供給する。分配装置２８は、各受信フレームのヘッダ又はプリアンブルに宛先に応じたＬＬＩＤを埋め込み、その後、ＬＬＩＤに応じて予め用意されたキュー３０−１〜３０ｎに受信フレームを供給する。
【００１９】
ＯＬＴ１０は、宛先に１Ｇｂｐｓ対応のＯＮＵを含む下りデータ信号のマルチキャスト又はブロードキャストを１Ｇｂｐｓで送信し、宛先全てが１０Ｇｂｐｓ対応のＯＮＵである場合にはその下りデータ信号のマルチキャスト又はブロードキャストを１０Ｇｂｐｓで送信する。ブロードキャストとマルチキャストを一律に１Ｇｂｐｓで伝送しても良い。
【００２０】
ＣＰＵ２０は、キュー３０−１〜３０−ｎに記憶される低速下りデータ信号（１Ｇｂｐｓ対応ＯＮＵへの下りデータ信号）を低速データ用バッファ３４に供給し、キュー３０−１〜３０−ｎに記憶される高速下りデータ信号（１０Ｇｂｐｓ対応ＯＮＵへの下りデータ信号）を高速データ用バッファ３６に供給するように、クロスコネクト装置３２を制御する。これにより、キュー３０−１〜３０−ｎに記憶される低速下りデータ信号は、フレーム単位で低速データ用バッファ３４に書き込まれる。また、キュー３０−１〜３０−ｎに記憶される高速下りデータ信号は、高速データ用バッファ３６に書き込まれる。
【００２１】
低速アイドル信号発生装置３８は、低速下り信号のフレーム間を埋めるインターフレームギャップ（ＩＦＧ）となる１Ｇｂｐｓベースの低速アイドル信号を発生する。バッファ３４が、低速下りデータ信号のペイロードに続けてＩＦＧを出力してもよい。この場合、バッファ３４が低速アイドル信号発生装置３８の機能又はＩＦＧ発生装置の機能を兼ねることになる。
【００２２】
また、高速アイドル信号発生装置３９は、１０Ｇｂｐｓベースの高速のアイドル信号を発生する。この高速アイドル信号は、詳細は後述するが、低速下りデータ信号の間に高速下りデータ信号を挿入した場合の余り分に充填される充填信号として利用され、高速下りデータ信号のフレーム間のＩＦＧとしても利用される。バッファ３６が高速下り信号のペイロードに続けて充填信号を出力しても良い。この場合、バッファ３６が、充填信号発生装置の機能を兼ねることになる。
【００２３】
高速伝送識別情報発生装置４０は、高速下りデータ信号の直前に配置される高速伝送識別情報を発生する。詳細は後述するが、１Ｇｂｐｓ対応のＯＮＵ１４−１は、高速伝送識別情報を受信すると、当該高速伝送識別情報で指定される期間、データ再生のための発振器を外部同期から内部同期に切り替える。
【００２４】
発振器４４は、１ＧｂｐｓＧＥ−ＰＯＮのデータを内部処理する周波数ｆＬのクロックを発生する。逓倍装置４６は、周波数ｆＬのクロックを逓倍し、１０ＧｂｐｓＧＥ−ＰＯＮのデータを内部処理する周波数ｆＨのクロックを発生する。低速クロックｆＬは低速データ用バッファ３４、高速データ用バッファ３６、低速アイドル信号発生装置３８及び高速伝送識別情報発生装置４０に供給される。高速クロックｆＨは、高速データ用バッファ３６及び高速アイドル信号発生装置３９に供給される。
【００２５】
多重装置４８は、低速データ用バッファ３４、高速データ用バッファ３６、低速アイドル信号発生装置３８、高速アイドル信号発生装置３９及び高速伝送識別情報発生装置４０から出力される信号を時間軸上でＣＰＵ２０により指示される順で多重し、多重信号を電気／光変換器５０に供給する。
【００２６】
ＣＰＵ２０は、低速データ用バッファ３４及び高速データ用バッファ３６の記憶データ量を逐次、モニタし、そのモニタ結果に従い、低速データ用バッファ３４、高速データ用バッファ３６、低速アイドル信号発生装置３８、高速アイドル信号発生装置３９及び高速伝送識別情報発生装置４０の出力タイミングと多重装置４８の多重動作を制御する。
【００２７】
光伝送路上で１．２５Ｇｂｐｓの伝送速度を持ち８Ｂ１０Ｂ変換を行うＧＥ−ＰＯＮと、光伝送路上で１０．３１２５Ｇｂｐｓの伝送速度を持ち６４Ｂ６６Ｂ変換を行う１０ＧＥ−ＰＯＮを混在させる場合、１０ＧＥ−ＰＯＮの下り信号の長さを、１．２５Ｇｂｐｓの伝送速度を基準とした際のビット区切りに可能な限り一致させようとすると、１０ＧＥ−ＰＯＮの下り信号を挿入する期間は、３２ｎｓの整数倍になる。１．２５Ｇｂｐｓの４０ｂｉｔを伝送するのに必要な時間と、１０．３１２５Ｇｂｐｓの３３０ｂｉｔを伝送するのに必要な時間が、３２ｎｓだからである。
【００２８】
ちなみに、光伝送路上で１．２５Ｇｂｐｓの伝送速度を持ち８Ｂ１０Ｂ変換を行うＧＥ−ＰＯＮと、光伝送路上で２．５Ｇｂｐｓの伝送速度を持ち８Ｂ１０Ｂ変換を行う２ＧＥ−ＰＯＮを混在させる場合、２ＧＥ−ＰＯＮ信号のバイト数は偶数であればよい。２ＧＥ−ＰＯＮ信号のバイト数が奇数の場合は、最後に１バイト分の２Ｇｂｐｓの高速アイドル信号を補充する。
【００２９】
図２は、多重装置４８から出力される下りデータ信号のフレーム構造例を示す。多重装置４８は、低速下りデータ信号の後の低速のＩＦＧに続いて、高速伝送識別情報発生装置４０から出力される高速伝送識別情報ＩＤＨｉｇｈを挿入する。高速伝送識別情報ＩＤＨｉｇｈは、これ以後に続く高速下りデータ信号の長さ又は期間を示す。詳細は後述するが、ＯＮＵ１４−１は、この高速伝送識別情報ＩＤＨｉｇｈを受信すると、高速伝送識別情報ＩＤＨｉｇｈが示す期間、データ再生に使用する内部発振器を外部同期から内部同期に切り替える。これにより、ＯＮＵ１４−１は、高速下り信号の入力の間の同期外れを解消でき、高速下り信号の後に入力する低速下り信号に容易に追従でき、低速下り信号のデータを再生できる。
【００３０】
多重装置４８は、高速伝送識別情報ＩＤＨｉｇｈに続けて、バッファ３６からの高速下りデータ信号を多重し、高速下りデータ信号のフレーム間には、高速アイドル信号発生装置３９からの高速アイドル信号をＩＦＧとして挿入する。低速下りデータ信号に切り替える直前の高速下りデータ信号の長さが、低速下りデータ信号のビット同期に不適切な場合、多重装置４８は、高速アイドル信号発生装置３９からの充填信号を多重し、その後に、バッファ３４からの低速下りデータ信号を多重する。
【００３１】
電気／光変換器５０は、多重装置４８から下りデータ信号を光信号に変換する。電気／光変換器５０から出力される光信号は、光伝送路１２を伝送して、ＯＮＵ１４−１，１４−２に入射する。
【００３２】
ＯＮＵ１４−１では、光／電気変換器６０が、光伝送路１２からの光信号を電気信号に変換し、その電気信号をクロック再生装置６２とデータ再生装置６６に供給する。クロック再生装置６２は、光／電気変換器６０からの電気信号の低周波数ｆＬ成分からクロックを再生する。低周波数ｆＬで発振する発振器６４は、クロック再生装置６２の再生クロックに同期する。データ再生装置６６は、発振器６４からのクロックに従い、光／電気変換器６０からの電気信号から低速下りデータ信号のプリアンブルとペイロードを再生する。分離装置６８は、データ再生装置６６で再生されたデータのプリアンブルを制御装置７０に供給し、制御装置７０は、自己宛てのデータ信号のみをＬＡＮインターフェース７２に出力するように分離装置６８を制御する。ＬＡＮインターフェース７２は、分離装置６８からのデータを出力端子７４から外部のコンピュータ等（図示せず）に出力する。
【００３３】
分離装置６８はまた、ＯＮＵ１４−１の制御に必要なデータ部分、例えば、高速伝送識別情報ＩＤＨｉｇｈを分離して制御装置７０に供給する。制御装置７０は、分離装置６８から高速伝送識別情報ＩＤＨｉｇｈを受信すると、高速伝送識別情報ＩＤＨｉｇｈが示す時間だけ、発振器６４を外部同期状態から自走状態（内部同期状態）に切り替える。発振器６４を一時的に自走状態に制御することで、発振器６４は、高速下りデータ信号の後の低速下りデータ信号に即座に同期することができる。これは、高速下りデータ信号とこれに続く低速下りデータ信号との間の空き期間を短くできることを意味する。同時に、データ再生装置６６の再生動作を一時的に停止しても良い。
【００３４】
ＯＮＵ１４−２では、光／電気変換器８０が、光伝送路１２からの光信号を電気信号に変換し、その電気信号をクロック再生装置８２とデータ再生装置８６に供給する。クロック再生装置８２は、光／電気変換器６０からの電気信号の低周波数ｆＬ成分からクロックを再生する。低周波数ｆＬで発振する発振器８４は、クロック再生装置６２の再生クロックに同期する。逓倍装置８５は、発振器８４の出力クロックの周波数を逓倍し、高周波数ｆＨのクロックを生成する。
【００３５】
データ再生装置８６は、発振器８４からの低速クロックｆＬ及び逓倍装置８５からの高速クロックｆＨに従い、光／電気変換器８０からの電気信号から低速下りデータ信号及び高速下り信号のプリアンブルとペイロードを再生する。分離装置８８は、データ再生装置８６で再生されたデータ信号のプリアンブルを制御装置９０に供給し、制御装置９０は、自己宛てのデータ信号のみをＬＡＮインターフェース９２に出力するように分離装置８８を制御する。ＬＡＮインターフェース９２は、分離装置８８からのデータを出力端子９４から外部のコンピュータ等（図示せず）に出力する。
【００３６】
ＯＮＵ１４−２は、低速下り信号及び高速下り信号のどちらも受信可能であるので、発振器８４の外部同期／自走を制御する必要が無い。
【実施例２】
【００３７】
図３は、本発明の実施例２の概略構成ブロック図を示す。図１と同じ機能の構成要素には同じ符号を付してある。本実施例では、高速対応のＯＮＵによる高速下りデータ信号の受信を容易にするために、高速同期用信号を伝送する。図４は、本実施例による伝送フレーム構成例を示す。
【００３８】
ＯＬＴ１１０は、以下の点でＯＬＴ１０から変更されている。即ち、多重装置１４８は、ＣＰＵ１２０からの切替え指示に従い、高速アイドル信号発生装置３９から出力される高速アイドル信号を、図６に示すように、高速伝送識別情報の後に高速同期用信号として多重する。高速伝送識別情報が示す時間情報には、勿論、高速同期用信号の期間も含める。
【００３９】
ＯＮＵ１１４−２は、高速同期用信号を利用できるように、高速同期用信号及び高速下りデータ信号から高速クロックｆＨの成分を抽出再生するクロック再生装置１８２と、高周波数ｆＨで発振する発振器１８４を具備する。発振器１８４は、クロック再生装置１８２の再生クロックに同期した高速クロックｆＨをデータ再生装置１８６に供給する。逓倍装置８５は削除される。データ再生装置１８６は、発振器８４からの低速クロックｆＬ及び発振器１８４からの高速クロックｆＨに従い、光／電気変換器６０からの電気信号から低速下りデータ信号及び高速下りデータ信号を再生する。
【００４０】
本実施例では、高速同期用信号を伝送するので、ＯＮＵ１４−２は、高速下りデータ信号をより正しく受信できる。
【００４１】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４２】
【図１】本発明の一実施例の概略構成ブロック図である。
【図２】多重装置４８で多重された低速下りデータ信号と高速下りデータシングのフレーム配置例を示す模式図である。
【図３】本発明の実施例２の概略構成ブロック図である。
【図４】実施例２の多重された低速下りデータ信号と高速下りデータシングのフレーム配置例を示す模式図である。
【符号の説明】
【００４３】
１０、１１０：ＯＬＴ
１２：光伝送路
ＯＮＵ１４−１，１４−２，１１４−２：ＯＮＵ
２０、１２０：ＣＰＵ
２２：ＬＬＩＤテーブル
２４：アップリンクポート
２６：バッファ
２８：分配装置
３０−１〜３０−ｎ：キュー
３２：クロスコネクト装置
３４：低速データ用バッファ
３６：高速データ用バッファ
３８：低速アイドル信号発生装置
３９：高速アイドル信号発生装置
４０：高速伝送識別情報発生装置
４４：発振器
４６：逓倍装置
４８，１４８：多重装置
５０：電気／光変換器
６０：光／電気変換器
６２：クロック再生装置
６４：発振器
６６：データ再生装置
６８：分離装置
７０：制御装置
７２：ＬＡＮインターフェース
７４：出力端子
８０：光／電気変換器
８２，１８２：クロック再生装置
８４，１８４：発振器
８５：逓倍装置
８６，１８６：データ再生装置
８８：分離装置
９０：制御装置
９２：ＬＡＮインターフェース
９４：出力端子
【図１】
2008160370.tif 000003
【図２】
2008160370.tif 000004
【図３】
2008160370.tif 000005
【図４】
2008160370.tif 000006